【手続補正書】
【提出日】平成29年8月7日(2017.8.7)
【手続補正１】
【補正対象書類名】特許請求の範囲
【補正対象項目名】全文
【補正方法】変更
【補正の内容】
【特許請求の範囲】
【請求項１】
ワイヤレス通信ネットワークにおいて用いる装置であって、
プロセッサであって、
周期的時分割複信（ＴＤＤ）アップリンク／ダウンリンク（ＵＬ／ＤＬ）再コンフィギュレーションに対する時間間隔を判定し、
動的ＴＤＤ ＵＬ／ＤＬコンフィギュレーション変更を示すためにＵＬ／ＤＬ再コンフィギュレーションコマンドを生成し、
物理ダウンリンク制御チャネル（ＰＤＣＣＨ）データにおいて前記ＵＬ／ＤＬ再コンフィギュレーションコマンドを符号化する、
ように構成される、前記プロセッサと、
前記プロセッサに結合される無線周波数（ＲＦ）インタフェースであって、前記時間間隔でサブフレーム０において前記符号化されたＵＬ／ＤＬ再コンフィギュレーションコマンドを送信させるように構成される、前記ＲＦインターフェースと、
を含む、装置。
【請求項２】
請求項１に記載の装置であって、
前記時間間隔が少なくとも１つの無線フレームを含む、装置。
【請求項３】
請求項１に記載の装置であって、
前記ＲＦインタフェースが、伝送信頼性を改善するために、前記時間間隔で前記符号化されたＵＬ／ＤＬ再コンフィギュレーションコマンドの送信を反復するように更に構成される、装置。
【請求項４】
請求項１に記載の装置であって、
前記ＵＬ／ＤＬ再コンフィギュレーションコマンドがサブフレーム０又は５において送信される、装置。
【請求項５】
請求項１に記載の装置であって、
前記ＵＬ／ＤＬ再コンフィギュレーションコマンドが、前のＵＬ／ＤＬ再コンフィギュレーションコマンドに続くＴＤＤ ＵＬ／ＤＬコンフィギュレーション変更を示すコンフィギュレーション値を含み、
前記プロセッサが、サブフレーム０において前記ＴＤＤ ＵＬ／ＤＬコンフィギュレーション変更を適用するように更に構成される、装置。
【請求項６】
請求項１に記載の装置であって、
前記ＵＬ／ＤＬコンフィギュレーション変更が、第１のユーザ機器（ＵＥ）をサーブする２次的サービングセル（ＳＣｅｌｌ）に関連付けられ、ＰＤＣＣＨが前記ＳＣｅｌｌに関連付けられ、前記ＰＤＣＣＨが、特定のＵＥに対する物理層制御を搬送するＵＥ特有制御部分を含み、前記符号化されたＵＬ／ＤＬ再コンフィギュレーションコマンドが前記ＰＤＣＣＨの前記ＵＥ特有制御部分において送信される、装置。
【請求項７】
請求項１に記載の装置であって、
前記符号化されたＵＬ／ＤＬ再コンフィギュレーションコマンドがＰＤＣＣＨのＵＥ特有制御部分において送信される、装置。
【請求項８】
請求項１に記載の装置であって、
前記符号化されたＵＬ／ＤＬ再コンフィギュレーションコマンドが、３ビットで構成され、ハイブリッド自動反復要求（ＨＡＲＱ）なしで送信される、装置。
【請求項９】
請求項１に記載の装置であって、
前記符号化されたＵＬ／ＤＬ再コンフィギュレーションコマンドが、ハイブリッド自動反復要求（ＨＡＲＱ）なしでＰＤＣＣＨのＵＥ共通制御部分において送信される、装置。
【請求項１０】
請求項１に記載の装置であって、
前記ＵＬ／ＤＬ再コンフィギュレーションコマンドが、ＤＣＩフォーマット１Ｃに従ってダウンリンク制御情報（ＤＣＩ）メッセージにおいて送信される、装置。
【請求項１１】
請求項１に記載の装置であって、
前記ＵＬ／ＤＬ再コンフィギュレーションコマンドが、ＴＤＤ  ＵＬ／ＤＬ再コンフィギュレーションウインドウサイズを含む、装置。
【請求項１２】
ワイヤレス通信ネットワークにおいて使用する装置であって、
プロセッサであって、
周期的時間分割複信（ＴＤＤ）アップリンク／ダウンリンク（ＵＬ／ＤＬ）再コンフィギュレーションのための時間間隔を判定し、
動的ＴＤＤ  ＵＬ／ＤＬコンフィギュレーション変更を示すためにＵＬ／ＤＬ再コンフィギュレーションコマンドを生成し、
ＤＣＩフォーマット１Ｃに従ってダウンリンク制御情報（ＤＣＩ）メッセージにおいて前記ＵＬ／ＤＬ再コンフィギュレーションコマンドを符号化する、
ように構成される、前記プロセッサと、
前記プロセッサに結合される無線周波数（ＲＦ）インターフェースであって、前記時間間隔で前記符号化されたＵＬ／ＤＬ再コンフィギュレーションコマンドを送信させるように構成される、前記ＲＦインターファースと、
を含む、装置。
【請求項１３】
請求項１２に記載の装置であって、
前記ＵＬ／ＤＬ再コンフィギュレーションコマンドを符号化するために、前記プロセッサが、
前記ＤＣＩメッセージに対する巡回冗長検査（ＣＲＣ）を生成し、
ＴＤＤ ＵＬ／ＤＬコンフィギュレーション特定無線ネットワーク一時的識別子（ＴＤＤ−ＲＮＴＩ）値によって前記ＣＲＣをスクランブルする、
ように更に構成され、
前記ＴＤＤ−ＲＮＴＩが、前記ＵＬ／ＤＬ再コンフィギュレーションコマンドをＰＤＣＣＨの共通制御部分における他の制御信号から差別化する、装置。
【請求項１４】
請求項１３に記載の装置であって、
前記スクランブルされたＣＲＣが前記ＤＣＩメッセージに付加される、装置。
【請求項１５】
請求項１３に記載の装置であって、
前記コンフィギュレーション特有ＴＤＤ−ＲＮＴＩが、ＲＡ−ＲＮＴＩとＣ−ＲＮＴＩと半継続スケジューリングＣ−ＲＮＴＩと一時的Ｃ−ＲＮＴＩとＴＰＣ−ＰＵＣＣＨ−ＲＮＴＩとＴＰＣ−ＰＵＳＣＨ−ＲＮＴＩとＭ−ＲＮＴＩとＰ−ＲＮＴＩとＳＩ−ＲＮＴＩのグループの１つでない、装置。
【請求項１６】
請求項１２に記載の装置であって、
前記ＤＣＩメッセージがＴＤＤ  ＵＬ／ＤＬ再コンフィギュレーションウインドウサイズを含む、装置。
【請求項１７】
請求項１２に記載の装置であって、
前記時間間隔が少なくとも１つの無線フレームを含む、装置。
【請求項１８】
請求項１２に記載の装置であって、
前記ＲＦインタフェースが、伝送信頼性を改善するために、前記時間間隔で前記符号化されたＵＬ／ＤＬ再コンフィギュレーションコマンドの送信を反復するように更に構成される、装置。
【請求項１９】
請求項１３に記載の装置であって、
前記ＵＬ／ＤＬ再コンフィギュレーションコマンドがサブフレーム０又は５において送信される、装置。
【請求項２０】
請求項１２に記載の装置であって、
前記ＵＬ／ＤＬ再コンフィギュレーションコマンドが、前のＵＬ／ＤＬ再コンフィギュレーション伝送に続くＴＤＤ  ＵＬ／ＤＬコンフィギュレーション変更を示すコンフィギュレーション値を含み、
前記プロセッサが、サブフレーム０において前記ＴＤＤ  ＵＬ／ＤＬコンフィギュレーション変更を適用するように更に構成される、装置。
【請求項２１】
請求項１２に記載の装置であって、
前記ＵＬ／ＤＬコンフィギュレーション変更が、第１のユーザー機器（ＵＥ）を受け持つ２次的サービングセル（ＳＣｅｌｌ）に関連付けられ、物理ダウンリンク制御チャネル（ＰＤＣＣＨ）が前記ＳＣｅｌｌに関連付けられ、前記ＰＤＣＣＨが、特定のＵＥに対する物理層制御を搬送するＵＥ特有制御部分を含み、前記符号化されたＵＬ／ＤＬ再コンフィギュレーションコマンドが前記ＰＤＣＣＨの前記ＵＥ特有制御部分において送信される、装置。
【請求項２２】
請求項１２に記載の装置であって、
前記符号化されたＵＬ／ＤＬ再コンフィギュレーションコマンドが物理ダウンリンク制御チャネル（ＰＤＣＣＨ）のＵＥ特有制御部分において送信される、装置。
【請求項２３】
請求項１２に記載の装置であって、
前記符号化されたＵＬ／ＤＬ再コンフィギュレーションコマンドがハイブリッド自動反復要求（ＨＡＲＱ）なしで送信される、装置。
【請求項２４】
請求項１２に記載の装置であって、
前記符号化されたＵＬ／ＤＬ再コンフィギュレーションコマンドが、３ビット長であり、ハイブリッド自動反復要求（ＨＡＲＱ）なしでＰＤＣＣＨのＵＥ共通制御部分において送信される、装置。
【請求項２５】
ワイヤレス通信ネットワークにおいて、動的時分割複信（ＴＤＤ）アップリンク／ダウンリンク（ＵＬ／ＤＬ）コンフィギュレーション変更をシグナリングする方法であって、
周期的ＴＤＤ ＵＬ／ＤＬ再コンフィギュレーションウィンドウに対する時間間隔を判定することと、
前記動的ＴＤＤ ＵＬ／ＤＬコンフィギュレーション変更を示すためにＵＬ／ＤＬ再コンフィギュレーションコマンドを生成することと、
物理ダウンリンク制御チャネル（ＰＤＣＣＨ）データにおいて前記ＵＬ／ＤＬ再コンフィギュレーションコマンドを符号化することと、
前記符号化されたＵＬ／ＤＬ再コンフィギュレーションコマンドを前記ＵＬ／ＤＬ再コンフィギュレーションウィンドウの第１のＵＬ／ＤＬ再コンフィギュレーションウィンドウにおいてＰＤＣＣＨを介して送信することと、
を含む、方法。
【請求項２６】
請求項２５に記載の方法であって、
前記時間間隔が少なくとも１つの無線フレームを含む、方法。
【請求項２７】
請求項２５に記載の方法であって、
伝送信頼性を改善するために前記時間間隔で前記符号化されたＵＬ／ＤＬ再コンフィギュレーションコマンドの送信を反復することを更に含む、方法。
【請求項２８】
請求項２５に記載方法であって、
前記ＵＬ／ＤＬ再コンフィギュレーションコマンドがサブフレーム０又は５において送信される、方法。
【請求項２９】
請求項２５に記載の方法であって、
前記ＵＬ／ＤＬ再コンフィギュレーションコマンドが、前のＵＬ／ＤＬ再コンフィギュレーション伝送に続くＴＤＤ ＵＬ／ＤＬコンフィギュレーション変更を示すコンフィギュレーション値を含み、
前記方法が、サブフレーム０において前記ＴＤＤ ＵＬ／ＤＬコンフィギュレーション変更を適用することを更に含む、方法。
【請求項３０】
請求項２５に記載の方法であって、
前記ＵＬ／ＤＬコンフィギュレーション変更が第１のユーザー機器（ＵＥ）をサーブする２次的サービングセル（ＳＣｅｌｌ）に関連付けられ、前記ＰＤＣＣＨが前記ＳＣｅｌｌに関連付けられ、前記ＰＤＣＣＨが特定のＵＥのための物理層制御を搬送するＵＥ特有制御部分を含み、前記符号化されたＵＬ／ＤＬ再コンフィギュレーションコマンドが前記ＰＤＣＣＨのＵＥ特有制御部分において送信される、方法。
【請求項３１】
請求項２５に記載の方法であって、
前記符号化されたＵＬ／ＤＬ再コンフィギュレーションコマンドが前記ＰＤＣＣＨのＵＥ特有制御部分において送信される、方法。
【請求項３２】
請求項２５に記載の方法であって、
前記符号されたＵＬ／ＤＬ再コンフィギュレーションコマンドが、３ビットで構成され、ハイブリッド自動反復要求（ＨＡＲＱ）なしで送信される、方法。
【請求項３３】
請求項２５に記載の方法であって、
前記符号化されたＵＬ／ＤＬ再コンフィギュレーションコマンドがハイブリッド自動反復要求（ＨＡＲＱ）なしで前記ＰＤＣＣＨのＵＥ共通制御部分において送信される、方法。
【請求項３４】
ワイヤレス通信ネットワークにおいて動的時間分割複信（ＴＤＤ）アップリンク／ダウンリンク（ＵＬ／ＤＬ）コンフィギュレーション変更をシグナリングする方法であって、
周期的ＴＤＤ  ＵＬ／ＤＬ再コンフィギュレーションウインドウのための時間間隔を判定することと、
動的ＴＤＤ  ＵＬ／ＤＬコンフィギュレーション変更を示すためにＵＬ／ＤＬ再コンフィギュレーションコマンドを生成することと、
ＤＣＩフォーマット１Ｃに従ってダウンリンク制御情報（ＤＣＩ）メッセージにおいて前記ＵＬ／ＤＬ再コンフィギュレーションコマンドを符号化することと、
ＰＤＣＣＨを介して前記ＵＬ／ＤＬ再コンフィギュレーションウインドウの第１のウインドウにおいて前記符号化されたＵＬ／ＤＬ再コンフィギュレーションコマンドを送信することと、
を含む、方法。
【請求項３５】
請求項３４に記載の方法であって、
前記ＵＬ／ＤＬ再コンフィギュレーションコマンドを符号化することが、
前記ＤＣＩメッセージに対して巡回冗長検査（ＣＲＣ）を生成することと、
ＴＤＤ  ＵＬ／ＤＬコンフィギュレーション特有無線ネットワーク一時的識別子（ＴＤＤ−ＲＮＴＩ）値により前記ＣＲＣをスクランブルすることと、
を更に含み、
前記ＴＤＤ−ＲＮＴＩが前記ＵＬ／ＤＬ再コンフィギュレーションコマンドを前記ＰＤＣＣＨの共通制御部分における他の制御情報から差別化する、方法。
【請求項３６】
請求項３５に記載の方法であって、
前記スクランブルされたＣＲＣが前記ＤＣＩメッセージに付加される、方法。
【請求項３７】
請求項３５に記載の方法であって、
前記コンフィギュレーション固有ＴＤＤ−ＲＮＴＩが、ＲＡ−ＲＮＴＩとＣ−ＲＮＴＩと半継続スケジューリングＣ−ＲＮＴＩと一時的Ｃ−ＲＮＴＩとＴＰＣ−ＰＵＣＣＨ−ＲＮＴＩとＴＰＣ−ＰＵＳＣＨ−ＲＮＴＩとＭ−ＲＮＴＩとＰ−ＲＮＴＩとＳＩ−ＲＮＴＩのグループの１つでない、方法。
【請求項３８】
請求項３４に記載の方法であって、
前記ＤＣＩメッセージがＴＤＤ  ＵＬ／ＤＬ再コンフィギュレーションウインドウサイズを含む、方法。
【請求項３９】
請求項３４に記載の方法であって、
前記時間間隔が少なくとも１つの無線フレームを含む、方法。
【請求項４０】
請求項３４に記載の方法であって、
伝送信頼性を改善するために前記時間間隔で前記符号化されたＵＬ／ＤＬ再コンフィギュレーションコマンドを送信することを反復することを更に含む、方法。
【請求項４１】
請求項３４に記載の方法であって、
請求項３４に記載の方法であって、
前記ＵＬ／ＤＬ再コンフィギュレーションコマンドがサブフレーム０又は５において送信される、方法。
【請求項４２】
請求項３４に記載の方法であって、
前記ＵＬ／ＤＬ再コンフィギュレーションコマンドが前のＵＬ／ＤＬ再コンフィギュレーション伝送に続くＴＤＤ  ＵＬ／ＤＬコンフィギュレーション変更を示すコンフィギュレーション値を含み、
前記方法が、サブフレーム０において前記ＴＤＤ  ＵＬ／ＤＬコンフィギュレーション変更を適用することを更に含む、方法。
【請求項４３】
請求項３４記載の方法であって、
前記ＵＬ／ＤＬコンフィギュレーション変更が、第１のＵＥを受け持つ２次的サービングセル（ＳＣｅｌｌ）に関連付けられ、前記ＰＤＣＣＨが前記ＳＣｅｌｌに関連付けられ、前記ＰＤＣＣＨが特定のＵＥに対する物理層制御を搬送するＵＥ特有制御部分を含み、前記符号化されたＵＬ／ＤＬ再コンフィギュレーションコマンドが、前記ＰＤＣＣＨのＵＥ特有制御部分において送信される、方法。
【請求項４４】
請求項３４に記載の方法であって、
前記符号化されたＵＬ／ＤＬ再コンフィギュレーションコマンドが前記ＰＤＣＣＨのＵＥ特有制御部分において送信される、方法。
【請求項４５】
請求項３４に記載の方法であって、
前記符号化されたＵＬ／ＤＬ再コンフィギュレーションコマンドが、３ビットフィールドであり、ハイブリッド自動反復要求（ＨＡＲＱ）なしで送信される、方法。
【請求項４６】
請求項３４に記載の方法であって、
前記符号化されたＵＬ／ＤＬ再コンフィギュレーションコマンドがハイブリッド自動反復要求（ＨＡＲＱ）なしに前記ＰＤＣＣＨのＵＥ共通制御部分において送信される、方法。